(57)【要約】【課題】簡単な機構で、短時間で効率良く原稿の両面の画像を読み取ることができる画像読取装置を提供する。【解決手段】ＡＤＦ３０で搬送される原稿を、筐体１１の側面部１１ａに設けた第１読取部Ｐ１と筐体１１の上面部１１ｂに設けた第２読取部Ｐ２を介して筐体１１内に配置した読取ユニット２０で読み取る画像読取装置６０であって、ＡＤＦ３０は、原稿供給トレイ３１から供給された原稿を筐体１１の側面部１１ａに沿って第１読取部Ｐ１へ搬送する第１搬送路４１と、第１搬送路４１を出た原稿をその表裏を反転させながら搬送する反転搬送路４２と、反転搬送路４２を出た原稿を筐体１１の上面部１１ｂに沿って第２読取部Ｐ２へ搬送する第２搬送路４３を備えることで、第１読取部Ｐ１で原稿の一方の面を読み取り第２読取部Ｐ２で原稿の他方の面を読み取る画像読取装置６０である。【選択図】図２
2008219516.tif 000002
【特許請求の範囲】
【請求項１】
原稿の画像を読み取る読取ユニットと、前記読取ユニットを収納する筐体と、前記筐体に設けた読取部と、前記読取部へ原稿を搬送する原稿搬送装置とを備え、前記原稿搬送装置で搬送される原稿を前記読取部を介して前記読取ユニットで読み取る画像読取装置であって、
前記筐体は少なくとも側面部と上面部を有し、前記読取部は、前記筐体の側面部に設けた第１読取部と前記筐体の上面部に設けた第２読取部とを備え、
前記原稿搬送装置は、原稿の一方の面を前記筐体の側面部に向けて該原稿を前記第１読取部へ搬送すると共に、前記原稿の他方の面を前記筐体の上面部に向けて該原稿を前記第２読取部へ搬送することで、前記第１読取部で前記原稿の一方の面を読み取り、前記第２読取部で前記原稿の他方の面を読み取るように構成したことを特徴とする画像読取装置。
【請求項２】
請求項１に記載の画像読取装置において、
前記原稿搬送装置は、読取前の原稿が載置される原稿供給部と、原稿供給部から供給された原稿が前記筐体の側面部に沿って前記第１読取部へ搬送される第１搬送路と、第１搬送路を出た原稿がその表裏を反転されながら搬送される反転搬送路と、反転搬送路を出た原稿が前記筐体の上面部に沿って前記第２読取部へ搬送される第２搬送路と、第２搬送路を出た読取後の原稿が載置される原稿排出部とを備えることを特徴とする画像読取装置。
【請求項３】
請求項１又は２に記載の画像読取装置において、
前記読取ユニットは、前記第１読取部及び第２読取部へ光を照射する光源と、前記第１読取部及び第２読取部の原稿からの反射光を所定方向へ導く反射ミラーと、前記反射光を入射して電気信号に変換して出力する電荷結合素子とを備え、
前記第１読取部及び第２読取部からの反射光を最初に入射させる反射ミラーをハーフミラーとし、前記第１，第２読取部のいずれか一方から出て該ハーフミラーで反射される反射光と、前記第１，第２読取部のいずれか他方から出て該ハーフミラーで透過される反射光が、同一の電荷結合素子に入射されるように構成したことを特徴とする画像読取装置。
【請求項４】
請求項３に記載の画像読取装置において、
前記読取ユニットの光源は、前記第１読取部へ光を照射する第１光源と、前記第２読取部へ光を照射する第２光源の二つの光源を備えることを特徴とする画像読取装置。
【請求項５】
請求項３に記載の画像読取装置において、
前記読取ユニットの光源は、前記第１読取部と前記第２読取部の両方に光を照射する単一の光源であり、前記読取ユニットに、前記第１読取部と前記第２読取部から前記ハーフミラーに入射する反射光を遮断する開閉可能なシャッターを設置したことを特徴とする画像読取装置。
【発明の詳細な説明】
【技術分野】
【０００１】
本発明は、原稿搬送装置で搬送される原稿を読取ユニットで読み取る画像読取装置に関し、特に、原稿の両面の画像を読み取ることができる画像読取装置に関する。
【背景技術】
【０００２】
ファクシミリやコピー機などの画像形成装置は、原稿を読み取る読取ユニットと、読取ユニットで読み取る原稿を搬送する原稿搬送装置とで構成される画像読取装置を備えている。このような画像読取装置には、原稿搬送装置による一度の搬送で、原稿の両面の画像を読み取るものがある。原稿の両面の画像を読み取る画像読取装置として、特許文献１に示すように、原稿を読取部へ搬送してその一方の面を読み取り、その後、原稿を一旦排出トレイに搬出させた後、原稿の後端部を挟持する排出ローラを逆転させて原稿をスイッチバックさせ、戻し搬送路で原稿の表裏を反転させながら再度読取部へ搬送して、原稿の他方の面を読み取るように構成したものがある。
【特許文献１】特開平８−１３３５５１号公報
【発明の開示】
【発明が解決しようとする課題】
【０００３】
しかしながら、特許文献１に記載の画像読取装置では、搬送される原稿をスイッチバックさせるスイッチバック機構が必要であるため、画像読取装置の機構が複雑であるという問題があった。また、原稿をスイッチバックさせると、その分、原稿の読み取りに余分な時間が掛かってしまう。したがって、画像読取装置の低コスト化やコンパクト化を図り、且つ、短時間で効率良く原稿の両面を読み取るためには、上記のようなスイッチバック機構を備える画像読取装置よりもさらに簡単な機構によって、原稿の両面の画像を読み取ることができる画像読取装置を実現する必要がある。
【０００４】
本発明は上述の点に鑑みてなされたものでありその目的は、簡単な機構で、短時間で効率良く原稿の両面の画像を読み取ることができる画像読取装置を提供することにある。
【課題を解決するための手段】
【０００５】
上記課題を解決するため本願の請求項１に記載の発明は、原稿の画像を読み取る読取ユニットと、前記読取ユニットを収納する筐体と、前記筐体に設けた読取部と、前記読取部へ原稿を搬送する原稿搬送装置とを備え、前記原稿搬送装置で搬送される原稿を前記読取部を介して前記読取ユニットで読み取る画像読取装置であって、前記筐体は少なくとも側面部と上面部を有し、前記読取部は、前記筐体の側面部に設けた第１読取部と前記筐体の上面部に設けた第２読取部とを備え、前記原稿搬送装置は、原稿の一方の面を前記筐体の側面部に向けて該原稿を前記第１読取部へ搬送すると共に、前記原稿の他方の面を前記筐体の上面部に向けて該原稿を前記第２読取部へ搬送することで、前記第１読取部で前記原稿の一方の面を読み取り、前記第２読取部で前記原稿の他方の面を読み取るように構成したことを特徴とする画像読取装置にある。
【０００６】
本願の請求項２に記載の発明は、請求項１に記載の画像読取装置において、前記原稿搬送装置は、読取前の原稿が載置される原稿供給部と、原稿供給部から供給された原稿が前記筐体の側面部に沿って前記第１読取部へ搬送される第１搬送路と、第１搬送路を出た原稿がその表裏を反転されながら搬送される反転搬送路と、反転搬送路を出た原稿が前記筐体の上面部に沿って前記第２読取部へ搬送される第２搬送路と、第２搬送路を出た読取後の原稿が載置される原稿排出部とを備えることを特徴とする。
【０００７】
本願の請求項３に記載の発明は、請求項１又は２に記載の画像読取装置において、前記読取ユニットは、前記第１読取部及び第２読取部へ光を照射する光源と、前記第１読取部及び第２読取部の原稿からの反射光を所定方向へ導く反射ミラーと、前記反射光を入射して電気信号に変換して出力する電荷結合素子とを備え、前記第１読取部及び第２読取部からの反射光を最初に入射させる反射ミラーをハーフミラーとし、前記第１，第２読取部のいずれか一方から出て該ハーフミラーで反射される反射光と、前記第１，第２読取部のいずれか他方から出て該ハーフミラーで透過される反射光が、同一の電荷結合素子に入射されるように構成したことを特徴とする。
【０００８】
本願の請求項４に記載の発明は、請求項３に記載の画像読取装置において、前記読取ユニットの光源は、前記第１読取部へ光を照射する第１光源と、前記第２読取部へ光を照射する第２光源の二つの光源を備えることを特徴とする。
【０００９】
本願の請求項５に記載の発明は、請求項３に記載の画像読取装置において、前記読取ユニットの光源は、前記第１読取部と前記第２読取部の両方に光を照射する単一の光源であり、前記読取ユニットに、前記第１読取部と前記第２読取部から前記ハーフミラーに入射する反射光を遮断する開閉可能なシャッターを設置したことを特徴とする。
【発明の効果】
【００１０】
本願の請求項１に記載の発明によれば、画像読取装置の筐体は少なくとも側面部と上面部を有し、読取部は、筐体の側面部に設けた第１読取部と筐体の上面部に設けた第２読取部とを備え、原稿搬送装置は、原稿の一方の面を筐体の側面部に向けて該原稿を第１読取部へ搬送すると共に、原稿の他方の面を筐体の上面部に向けて該原稿を第２読取部へ搬送することで、第１読取部で原稿の一方の面を読み取り、第２読取部で原稿の他方の面を読み取るように構成したので、従来の画像読取装置のようにスイッチバック機構を設ける場合と比較して、原稿の両面を読み取ることができる画像読取装置を簡単な機構で実現できる。また、原稿をスイッチバックさせる場合と比較して、短時間で原稿の両面を読み取ることが可能な画像読取装置となる。
【００１１】
本願の請求項２に記載の発明によれば、原稿搬送装置は、読取前の原稿が載置される原稿供給部と、原稿供給部から供給された原稿が筐体の側面部に沿って第１読取部へ搬送される第１搬送路と、第１搬送路を出た原稿がその表裏を反転されながら搬送される反転搬送路と、反転搬送路を出た原稿が筐体の上面部に沿って第２読取部へ搬送される第２搬送路と、第２搬送路を出た読取後の原稿が載置される原稿排出部とを備えるので、一度の搬送で原稿の一方の面と他方の面を読み取ることができる原稿搬送装置を、簡単な構成で実現できる。
【００１２】
本願の請求項３に記載の発明によれば、読取ユニットにおいて、第１読取部及び第２読取部からの反射光を最初に入射させる反射ミラーをハーフミラーとし、第１，第２読取部のいずれか一方から出て該ハーフミラーで反射される反射光と、第１，第２読取部のいずれか他方から出て該ハーフミラーで透過される反射光が、同一の電荷結合素子に入射されるように構成したので、画像読取装置が第１読取部と第２読取部の二つの読取部を備えていても、読取ユニットが備える電荷結合素子は一個で足りる。これにより、読取ユニットの部品点数を少なく抑えてその構成を簡単にすることができる。
【００１３】
本願の請求項４に記載の発明によれば、読取ユニットの光源は、第１読取部へ光を照射する第１光源と、第２読取部へ光を照射する第２光源の二つの光源を備えるので、第１読取部と第２読取部へそれぞれ独立して光を照射することができ、ハーフミラーを用いて第１読取部と第２読取部で原稿の一方の面と他方の面を順に読み取ることが可能となる。
【００１４】
本願の請求項５に記載の発明によれば、読取ユニットの光源は、第１読取部と第２読取部の両方に光を照射する単一の光源であり、読取ユニットに、第１読取部と第２読取部からハーフミラーに入射する反射光を遮断する開閉可能なシャッターを設置したので、光源を単一の光源にして読取装置の構成を簡単にしながらも、第１読取部と第２読取部からの反射光をそれぞれ独立してハーフミラーに導くことができ、ハーフミラーを用いて第１読取部と第２読取部で原稿の一方の面と他方の面を順に読み取ることが可能となる。
【発明を実施するための最良の形態】
【００１５】
以下、本発明の実施形態を図面に基づいて詳細に説明する。図１は、本発明の一実施形態に係る画像読取装置を備えた画像形成装置を示す斜視図である。まず、同図を用いて画像形成装置の概略全体構成について説明する。本発明を適用する画像形成装置としては、画像読取装置を備えた画像形成装置であれば、コピー機やファクシミリ装置やプリンタあるいはこれらの機能を兼ね備えたいわゆる複合機のうちのいずれであっても良い。同図に示す画像形成装置１は、下段側に配置された記録装置２と、上段側に配置された読取装置１０とを備えている。記録装置２には、記録部４と給紙カセット５及び記録紙排出トレイ６が備えられ、給紙カセット５に収容されている用紙を記録部４へ給紙し、記録部４で用紙への記録を行った後、用紙を記録紙排出トレイ６へ排出するように構成されている。
【００１６】
一方、読取装置１０は、その前面に操作パネル７が取り付けられており、上部に一辺が図示しないヒンジ機構で開閉可能に取り付けられた原稿押えカバー８が設置されている。原稿押えカバー８の一端には、自動原稿搬送装置（以下、「ＡＤＦ」と記す）３０が設置されている。読取装置１０とＡＤＦ３０とによって、本発明の実施形態にかかる画像読取装置６０が構成されている。
【００１７】
図２は、画像読取装置６０の構成を示す側断面図である。まず、画像読取装置６０が備える読取装置１０の構成を説明する。読取装置１０は、側面部１１ａと上面部１１ｂを有する略長方形状の箱型に形成された筐体１１を備えている。筐体１１内には、読取ユニット２０が収納されている。筐体１１の側面部１１ａには、ＡＤＦ３０で側面部１１ａに沿って搬送される原稿の画像を読み取る第１読取部Ｐ１が設けられ、筐体１１の上面部１１ｂには、ＡＤＦ３０で上面部１１ｂに沿って搬送される原稿の画像を読み取る第２読取部Ｐ２が設けられている。第１読取部Ｐ１は、側面部１１ａに設置されたコンタクトガラス１２を介して筐体１１内の読取ユニット２０で原稿の画像を読み取るようになっている。また、第２読取部Ｐ２は、上面部１１ｂに設置されたコンタクトガラス１３を介して読取ユニット２０で原稿の画像を読み取るようになっている。一方、筐体１１の上面部１１ｂの第２読取部Ｐ２の側部には、読取装置１０をフラットベッドスキャナとして用いて静止状態の原稿を読み取る際に原稿を載置するプラテンガラス１４が設置されている。
【００１８】
筐体１１内に収納された読取ユニット２０は、第１読取部Ｐ１、第２読取部Ｐ２の原稿へ光を照射する第１光源ランプ２１、第２光源ランプ２２と、原稿からの反射光Ｒを所定の方向へ導く反射ミラー２３と、反射光Ｒを収束させる集光レンズ２４と、収束された反射光Ｒを電気信号に変換して出力する電荷結合素子（Charge Coupled Device，以下「ＣＣＤ」という）２５とを備えるいわゆる縮小光学系のＣＣＤ読取ユニットで、原稿からの反射光ＲがＣＣＤ２５に導かれて結像されるようになっている。また、詳細な説明及び図示は省略するが、電気信号に変換された画像信号は、アナログ／デジタル変換、シェーディング処理等が施された後、記録装置２で記録用紙に記録され、又はＣＯＤＥＣ等の送信部により電送される。
【００１９】
上記の第１，第２光源ランプ２１，２２と反射ミラー２３と集光レンズ２４とＣＣＤ２５は、略矩形状の箱型に形成されたケース２６内に収納されていて、ケース２６は、筐体１１内で走査方向に沿って移動可能に担持されている。ケース２６には、第１読取部Ｐ１からの反射光Ｒ１をケース２６内に導く第１開口部２７と、第２読取部Ｐ２からの反射光Ｒ２をケース２６内に導く第２開口部２８とが設けられている。第１開口部２７はケース２６の側面部２６ａに設けられ、第２開口部２８はケース２６の上面部２６ｂに設けられている。また、第１開口部２７と第２開口部２８は、ケース２６が筐体１１内で走査方向の一方の端部（図２の左端部）に位置する際に、それぞれ第１読取部Ｐ１と第２読取部Ｐ２に面して配置される位置に形成されている。
【００２０】
また、ケース２６内の側面部１１ａと上面部１１ｂが突き合う角部２６ｃの近傍には、第１読取部Ｐ１の原稿からの反射光Ｒ１と、第２読取部Ｐ２の原稿からの反射光Ｒ２とが最初に入射する反射ミラーであるハーフミラー（マジックミラー）２３ａが設置されている。ハーフミラー２３ａは、ガラスの表面に塗布する金属の膜を、全反射のミラーよりも薄く形成して所定量の光の透過率を持たせることで、入射する光の一部を反射させ、残りの光を透過させるように構成したミラーである。ここでは、ハーフミラー２３ａの透過率が５０％に設定されている場合について説明する。
【００２１】
ハーフミラー２３ａは、ケース２６の角部２６ｃにおいて、ケース２６の側面部２６ａ及び上面部２６ｂに対してその面が４５度をなす角度に配置されている。これにより、第１読取部Ｐ１の原稿からの反射光Ｒ１が、ハーフミラー２３ａの一方の面に４５度の角度で入射し、第２読取部Ｐ２の原稿からの反射光Ｒ２が、ハーフミラー２３ａの他方の面に４５度の角度で入射する。そして、このハーフミラー２３ａは、第１読取部Ｐ１の原稿から入射する反射光Ｒ１のうちハーフミラー２３ａで透過される反射光と、第２読取部Ｐ２の原稿から入射する反射光Ｒ２のうちハーフミラー２３ａで反射される反射光とが、次の反射ミラーである第２反射ミラー２３ｂに入射するように構成されている。これにより、第１読取部Ｐ１の原稿からの反射光Ｒ１と、第２読取部Ｐ２の原稿からの反射光Ｒ２がいずれもＣＣＤ２５に導かれるようになっている。
【００２２】
また、読取ユニット２０は、第１読取部Ｐ１へ光を照射する第１光源ランプ２１と、第２読取部Ｐ２へ光を照射する第２光源ランプ２２の二つの光源ランプを備えている。第１光源ランプ２１は、ハーフミラー２３ａの第１読取部Ｐ１を向く面側に設置され、第２光源ランプ２２は、ハーフミラー２３ａの第２読取部Ｐ２を向く面側に配置されている。なお、第１光源ランプ２１と第２光源ランプ２２は、互いに独立で点灯・消灯させることが可能である。
【００２３】
上記の読取装置１０で、フラットベッドスキャナとして原稿画像の読み取りを行う場合は、原稿押えカバー８を開いてプラテンガラス１４上に原稿を載置し、原稿押えカバー８を閉じて載置した原稿を押さえる。その状態で、筐体１１内で走査方向に沿って読取ユニット２０を走査して原稿の画像を読み取る。このとき、第１光源ランプ２１は消灯させておき、第２光源ランプ２２だけを点灯させる。これにより、第２光源ランプ２２からプラテンガラス上の原稿に光が照射され、原稿から反射光Ｒ２の一部がハーフミラー２３ａで反射されて第２反射ミラー２３ｂに導かれ、ＣＣＤ２５に入射する。これにより、プラテンガラス１４上の原稿の画像が読み取られる。
【００２４】
次に、ＡＤＦ３０の構成を説明する。ＡＤＦ３０は、筐体１１の側面部１１ａと上面部１１ｂが付き合う角部１１ｃに対応する位置に配置され、その外形が、筐体１１の角部１１ｃの近傍の上面部１１ｂと側面部１１ａとを略覆うように形成されている。ＡＤＦ３０の内部には、原稿を搬送する原稿搬送路３２が形成されていて、原稿搬送路３２の入口部３２ａの手前には、読取前の原稿を積載する原稿供給トレイ（原稿供給部）３１が設置され、原稿搬送路３２の出口部３２ｂの先方には、読取後の原稿を積載する原稿排出トレイ（原稿排出部）３３が設置されている。なお、以下の説明では、原稿搬送路３２における入口部３２ａに近い側を上流側といい、出口部３２ｂに近い側を下流側という。
【００２５】
原稿搬送路３２は、入口部３２ａから出て原稿供給トレイ３１から離れる奥側（図２に示す左側）へ向かう導入搬送路４０と、導入搬送路４０の最奥部から鉛直下方に向かい、筐体１１の側面部１１ａに沿って延伸する第１搬送路４１と、第１搬送路４１の下端部から横向きループ状に転回して、筐体１１の上面部１１ｂの高さ位置で角部１１ｃに向う反転搬送路４２と、反転搬送路４２の下流端から筐体１１の上面部１１ｂに沿って水平方向に延伸する第２搬送路４３と、第２搬送路４３から斜め上方に若干上昇した後、出口部３２ｂに向かって略水平方向に延伸する導出搬送路４４を備えて構成されている。また、導入搬送路４０の下流端から分岐して、第１搬送路４１と反転搬送路４２を迂回して第２搬送路の途中に合流する片面読取搬送路４５を備えている。
【００２６】
原稿供給トレイ３１は、入口部３２ａに向かって低くなるように若干傾斜して取り付けられている。入口部３２ａには、原稿供給トレイ３１上の原稿を導入搬送路４０へ繰り込むピックアップローラ３４が設置されている。ピックアップローラ３４は、原稿供給トレイ３１の先端の上方に配置され、上下に揺動する揺動アーム３９の揺動端に回転自在に軸支されている。ピックアップローラ３４の下流側には、原稿搬送路３２の上方で回転自在に設置されたセパレートローラ３５と、セパレートローラ３５の下面に圧接されるリタードローラ３６が設置されている。なお、ピックアップローラ３４やセパレートローラ３５は、図示は省略するが、回転方向に所定の負荷が掛かるとその回転が空転するワンウェイクラッチ機構を備えている。また、導入搬送路４０のセパレートローラ３５とリタードローラ３６の下流側には、搬送ローラ３７が設置されている。
【００２７】
導入搬送路４０の下流端には、第１搬送路４１と片面読取搬送路４５が分岐する分岐部４６が設けられている。分岐部４６には、導入搬送路４０を搬送された原稿を第１搬送路４１と片面読取搬送路４５のいずれかに振り分ける変向爪４６ａが設置されている。分岐部４６では、画像形成装置１に予め入力された片面読取モード又は両面読取モードの選択に応じて、原稿の搬送経路を第１搬送路４１と片面読取搬送路４５とで切り換えるようになっている。
【００２８】
第１搬送路４１は、原稿の一方の面を側面部１１ａの第１読取部Ｐ１に向けた状態で、該原稿を側面部１１ａに沿って搬送するようになっている。反転搬送路４２には、搬送ローラ４７とフィードローラ４８が設置されていて、これら搬送ローラ４７とフィードローラ４８で、原稿をその表裏を反転させながら横向きループ状に転回させて搬送するようになっている。第２搬送路４３は、原稿の他方の面を上面部１１ｂの第２読取部Ｐ２に向けた状態で、該原稿を上面部１１ｂに沿って搬送するようになっている。導出搬送路４４は、第２搬送路４３の下流端から原稿搬送路３２の出口部３２ｂに連通している。導出搬送路４４の途中には、搬送ローラ４９が設置されている。また導出搬送路４４の出口部３２ｂの近傍には、導出搬送路４４を搬送された原稿を出口部３２ｂから原稿排出トレイ３３へ排出する排出ローラ５０が設置されている。一方、分岐部４６から分岐した片面読取搬送路４５は、第２搬送路４３の第２読取部Ｐ２よりも上流側に合流している。片面読取搬送路４５には、搬送ローラ５１が設置されている。
【００２９】
ここで、上記構成の画像読取装置６０で、ＡＤＦ３０で原稿を搬送して原稿の両面の画像を読み取る際の原稿の搬送手順及び読取動作について説明する。この場合、読取ユニット２０を筐体１１内の一端側（図２の左端側）に停止させておく。そして、原稿供給トレイ３１上に原稿を載置する。ここでは、原稿はその表面を下側に向けて原稿供給トレイ３１に載置する。その状態で、図１に示す操作パネル７から原稿読取の指示が入力されると、ピックアップローラ３４とセパレートローラ３５が回転し、揺動アーム３９が下方に揺動する。これにより、ピックアップローラ３４が原稿供給トレイ３１上の原稿の先端部の上面に圧接され、ピックアップローラ３４の回転で、原稿がセパレートローラ３５とリタードローラ３６の間に繰り込まれる。
【００３０】
セパレートローラ３５とリタードローラ３６で一枚ずつ分離されて導入搬送路４０へ繰り込まれた原稿は、搬送ローラ３７で搬送されて、第１搬送路４１へ送られる。第１搬送路４１を搬送される原稿は、筐体１１の側面部１１ａに沿って鉛直下方に向かって搬送される。その際、原稿供給トレイ３１上で表面を下方に向けて載置されていた原稿は、表面が第１読取部Ｐ１に面する状態で搬送される。そして、原稿が第１読取部Ｐ１を搬送される際に、読取ユニット２０の第１光源ランプ２１を点灯させる。これにより、第１読取部Ｐ１を搬送される原稿の表面に第１光源ランプ２１の光が照射され、原稿からの反射光Ｒ１がハーフミラー２３ａに入射する。ハーフミラー２３ａに入射した反射光Ｒ１は、その５０％がハーフミラー２３ａで透過される。この透過された反射光Ｒが、第２反射ミラー２３ｂを経由してＣＣＤ２５に導かれる。これにより、第１読取部Ｐ１を搬送される原稿の表面の画像が読み取られる。原稿が第１読取部Ｐ１を通過し終えると第１光源ランプ２１が消灯する。その後、原稿は反転搬送路４２を搬送される。その際、原稿の表裏が反転されながら搬送される。反転搬送路４２を出た原稿は、表面が上側を向き裏面が下側を向いた状態で、第２搬送路４３に導入される。
【００３１】
第２搬送路４３を搬送される原稿は、筐体１１の上面部１１ｂに沿って水平方向に搬送される。その際、原稿は、裏面が第２読取部Ｐ２に面する向きで搬送される。そして、原稿が第２読取部Ｐ２を搬送される際に、読取ユニット２０の第２光源ランプ２２を点灯させる。これにより、第２読取部Ｐ２を搬送される原稿の裏面に第２光源ランプ２２の光が照射され、原稿からの反射光Ｒ２がハーフミラー２３ａに入射する。ハーフミラー２３ａに入射した反射光Ｒ２は、その５０％がハーフミラー２３ａで反射され、この反射光Ｒが第２反射ミラー２３ｂを経由してＣＣＤ２５に導かれる。これにより、第２読取部Ｐ２を搬送される原稿の裏面の画像が読み取られる。原稿が第２読取部Ｐ２を通過し終えると、第２光源ランプ２２が消灯する。その後、原稿は導出搬送路４４を搬送されて、出口部３２ｂから原稿排出トレイ３３に排出される。
【００３２】
一方、上記の画像読取装置６０で原稿の片面のみの読み取りを行う場合は、導入搬送路４０を搬送された原稿を、分岐部４６で片面読取搬送路４５に導入して、第１搬送路４１と反転搬送路４２を迂回させて、直接、第２搬送路４３に合流させて第２読取部Ｐ２へ搬送する。この場合の原稿は、原稿供給トレイ３１上で、画像を読み取る面を上側に向けた状態で載置する。すると、片面読取搬送路４５を搬送される際に原稿の表裏が反転されるので、第２搬送路４３を搬送される原稿は、画像を読み取る面を第２読取部Ｐ２に向けた状態で搬送される。第２読取部Ｐ２で画像が読み取られた原稿は、導出搬送路４４を搬送されて、出口部３２ｂから原稿排出トレイ３３に排出される。
【００３３】
以上説明したように、本実施形態の画像読取装置６０では、筐体１１の側面部１１ａに設けた第１読取部Ｐ１と筐体１１の上面部１１ｂに設けた第２読取部Ｐ２とを備え、ＡＤＦ３０が、一の原稿を第１読取部Ｐ１と第２読取部Ｐ２に順に搬送することで、第１読取部Ｐ１で原稿の一方の面を読み取り、第２読取部Ｐ２で原稿の他方の面を読み取るように構成したので、従来の画像読取装置のようにスイッチバック機構を設ける場合と比較して、原稿の両面を読み取ることができる画像読取装置を、簡単な機構で実現できる。また、原稿をスイッチバックさせる場合と比較して、短時間で効率良く原稿の両面を読み取ることができる画像読取装置となる。
【００３４】
また、本実施形態の画像読取装置６０では、ＡＤＦ３０は、読取前の原稿が載置される原稿供給トレイ３１と、原稿供給トレイ３１から供給された原稿が筐体１１の側面部１１ａに沿って第１読取部Ｐ１へ搬送される第１搬送路４１と、第１搬送路４１を出た原稿がその表裏を反転されながら搬送される反転搬送路４２と、反転搬送路４２を出た原稿が筐体１１の上面部１１ｂに沿って第２読取部Ｐ２へ搬送される第２搬送路４３と、第２搬送路４３を出た読取後の原稿が載置される原稿排出トレイ３３とを備えることで、原稿の一方の面を筐体１１の側面部１１ａに向けて第１読取部Ｐ１へ搬送すると共に、当該原稿の他方の面を筐体１１の上面部１１ｂに向けて第２読取部Ｐ２へ搬送するように構成したので、一度の搬送で、原稿の一方の面と他方の面の両面を効率良く読み取ることができるようになる。
【００３５】
また、本実施形態の画像読取装置６０では、読取ユニット２０において、第１読取部Ｐ１及び第２読取部Ｐ２からの反射光を最初に入射させる反射ミラーをハーフミラー２３ａとし、第１読取部Ｐ１から出てハーフミラー２３ａで透過される反射光Ｒと、第２読取部Ｐ２から出てハーフミラー２３ａで反射される反射光Ｒが共にＣＣＤ２５に入射するように構成したので、第１読取部Ｐ１と第２読取部Ｐ２の二つの読取部を備えていても、読取ユニット２０が備えるＣＣＤ２５は一個で足りる。これにより読取ユニット２０の部品点数を少なく抑えることができ、読取ユニット２０の構成を簡単にすることができる。
【００３６】
また、本実施形態の画像読取装置６０では、読取ユニット２０の光源は、第１読取部Ｐ１へ光を照射する第１光源ランプ２１と、第２読取部Ｐ２へ光を照射する第２光源ランプ２２の二つの光源を備えるので、第１読取部Ｐ１と第２読取部Ｐ２へそれぞれ独立して光を照射することができ、ハーフミラー２３ａを用いて、第１読取部Ｐ１と第２読取部Ｐ２で原稿の一方の面と他方の面を順に読み取ることが可能となる。
【００３７】
なお、上記の読取ユニット２０では、ハーフミラー２３ａで反射される光又は透過される光の光量が、全反射の反射ミラーで反射される光の光量に対して半分の光量であるが、この点は、第１光源ランプ２１及び第２光源ランプ２２の光量を二倍の光量にすることで、ＣＣＤ２５での画像の読み取りが従来通りに行えるようになる。
【００３８】
次に、本発明の他の実施形態にかかる画像読取装置が備える読取ユニットの構成について説明する。図３は、他の読取ユニット２０−２の構成を示す図である。なお、本実施形態では、図３に示す以外の部分の構成及び下記で説明しない事項については、先に説明した実施形態の場合と同じとする。図３に示す読取ユニット２０−２は、上記の読取ユニット２０が備える第１光源ランプ２１と第２光源ランプ２２の二個の光源ランプに代えて、ケース２６内の角部２６ｃに設置した一個の光源ランプ５５を備えている。光源ランプ５５は、第１読取部Ｐ１と第２読取部Ｐ２の両方に光を照射する単一の光源である。そして、開口部２７と開口部２８にはそれぞれ、第１読取部Ｐ１と第２読取部Ｐ２からの反射光を遮断する第１シャッター５６と第２シャッター５７が設置されている。第１シャッター５６と第２シャッター５７は、互いに独立して開閉可能になっている。また第１シャッター５６と第２シャッター５７は、閉じている際に光源ランプ５５からの照射光が反射されように、それらの表面が艶の無い黒色系の色に加工されている。
【００３９】
上記の読取ユニット２０−２では、原稿が第１読取部Ｐ１を搬送される際に、第１シャッター５６を開いて第２シャッター５７を閉じた状態で、光源ランプ５５を点灯させる。すると、第１読取部Ｐ１の原稿からの反射光Ｒ１だけがハーフミラー２３ａに入射する。この反射光Ｒ１のうち５０％がハーフミラー２３ａで透過され、この透過された反射光Ｒが第２反射ミラー２３ｂを経由してＣＣＤ２５に導かれる。これにより、第１読取部Ｐ１を搬送される原稿の一方の面の画像が読み取られる。一方、原稿が第２読取部Ｐ２を搬送される際には、第２シャッター５７を開いて第１シャッター５６を閉じた状態で、光源ランプ５５を点灯させる。すると、第１読取部Ｐ１の原稿からの反射光Ｒ２だけがハーフミラー２３ａに入射する。この反射光Ｒ２のうち５０％がハーフミラー２３ａで反射され、この反射された反射光Ｒが第２反射ミラー２３ｂを経由してＣＣＤ２５に導かれる。これにより、第２読取部Ｐ２を搬送される原稿の他方の面の画像が読み取られる。
【００４０】
この読取ユニット２０−２では、第１読取部Ｐ１と第２読取部Ｐ２の両方に光を照射する単一の光源ランプ５５を備え、第１読取部Ｐ１と第２読取部Ｐ２からの反射光を遮断する開閉可能なシャッター５６，５７を設置したので、光源を単一の光源にして読取装置１０の構成を簡単にしながらも、第１読取部Ｐ１と第２読取部Ｐ２からの反射光をそれぞれ独立にハーフミラー２３ａに入射させることができ、ハーフミラー２３ａを用いて第１読取部Ｐ１と第２読取部Ｐ２で原稿の一方の面と他方の面を順に読み取ることが可能となる。
【００４１】
以上本発明の実施形態を説明したが、本発明は上記実施形態に限定されるものではなく、特許請求の範囲、及び明細書、図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。例えば、上記実施形態に示すＡＤＦ３０の第１搬送路４１や反転搬送路４２や第２搬送路４３の具体的な形状等はいずれも一例であり、本発明の画像読取装置が備える原稿搬送装置としては、原稿の一方の面を筐体の側面部に向けて該原稿を第１読取部へ搬送すると共に、この原稿の他方の面を筐体の上面部に向けて該原稿を第２読取部へ搬送するように構成したものであれば、その具体的な搬送経路の構成は、上記実施形態とは異なるものであっても良い。
【００４２】
また、上記実施形態に示す読取ユニット２０の構成も一例であり、例えば、反射ミラー２３の数や配置は上記実施形態に示すものには限定されない。また、ハーフミラー２３ａの透過率は上記実施形態に示す以外の透過率であっても良いし、ハーフミラー２３ａを設置する位置やその設置角度は、ハーフミラーの透過率に応じて適宜に決めることが可能である。
【図面の簡単な説明】
【００４３】
【図１】本発明の一実施形態に係る画像読取装置を備えた画像形成装置の全体構成を示す斜視図である。
【図２】画像読取装置の詳細構成を示す側断面図である。
【図３】本発明の他の実施形態に係る画像読取装置が備える読取ユニットの構成を示す側断面図である。
【符号の説明】
【００４４】
１      画像形成装置
１０    読取装置
１１    筐体
１１ａ  側面部
１１ｂ  上面部
１１ｃ  角部
２０    読取ユニット
２１    第１光源ランプ
２２    第２光源ランプ
２３    反射ミラー
２３ａ  ハーフミラー（第１反射ミラー）
２３ｂ  第２反射ミラー
２４    集光レンズ
２５    電荷結合素子（ＣＣＤ）
２６    ケース
３０    自動原稿搬送装置（ＡＤＦ）
３１    原稿供給トレイ（原稿供給部）
３２    原稿搬送路
３３    原稿排出トレイ（原稿排出部）
４０    導入搬送路
４１    第１搬送路
４２    反転搬送路
４３    第２搬送路
４４    導出搬送路
４５    片面読取搬送路
４６    分岐部
５５    光源ランプ
５６    第１シャッター
５７    第２シャッター
６０    画像読取装置
Ｐ１    第１読取部
Ｐ２    第２読取部
【図１】
2008219516.tif 000003
【図２】
2008219516.tif 000004
【図３】
2008219516.tif 000005